(57)【要約】 【課題】  置物として楽しめながら、空気浄化機能を持ち、色彩鮮やかな模様発光のインテリア照明としての機能を持つ照明装置を提供する。【解決手段】  外壁に多数の貫通孔を備えた陶磁器製収納容器２内に、空気清浄器７を配備し、この空気清浄器の吸入口１１から、空気を貫通孔５ａを介して容器内に導入し、光触媒を坦持させた無機繊維１３内を貫流させ、空気中の有機物を光分解し、清浄化した空気を排出口１５から吹出し口６を経て容器外に排出させると共に、紫外線光源１８から発せられ光触媒層１３内を透過した紫外線にて空気清浄器７の外周に保持された蛍光体２１を発光させ、陶磁器製容器の貫通孔５から色彩鮮やかな模様発光を外部に放射させる。【選択図】  図２
0003129769.tif 000002
【実用新案登録請求の範囲】
【請求項１】
外壁に多数の貫通孔を備えた陶磁器製容器と、陶磁器製容器内に配置された透明な筒状容器と、この透明な筒状容器の一方に設けられた空気吸入口と、この透明な筒状容器の他方に設けられた空気排出口と、この透明な筒状容器に配置されて空気を給排気するファンと、この透明な筒状容器の中央部に設けられた紫外線光源と、その紫外線光源の周囲に充填された光触媒を坦持させた無機繊維層と、この透明な筒状容器の外周に保持された蛍光体とを少なくとも具備し、汚染された空気を陶磁器製容器の貫通孔を介して空気吸入口から透明な筒状容器に導入し、透明な筒状容器内の光触媒を坦持させた無機繊維層を貫流させ、空気中の有機物を光分解し、浄化した空気を透明な筒状容器の排出口から陶磁器製容器外に排出させると共に、透明な筒状容器の外周に保持された蛍光体を紫外線にて発光させ、陶磁器製容器の貫通孔から紫外線による発光を外部に放射させることを特徴とする照明装置。
【請求項２】
光触媒を坦持させる無機繊維はカサ密度１０ｋｇ／ｍ３以下のガラス短繊維に２０％以下のガラス長繊維を混紡し、少なくとも一部のガラス長繊維の長さ方向を紫外線の進行方向に一致させることを特徴とする請求項１記載の照明装置。
【請求項３】
光触媒を坦持させる無機繊維の層内にスリットを設け、スリットの長さ方向を紫外線の進行方向に一致させることを特徴とする請求項１ないし２記載の照明装置。
【請求項４】
透明な筒状容器の外周に保持させる蛍光体は、透明なフイルムに蛍光体を塗布又は含有させ、透明な筒状容器の内面に貼り付けるか又は透明な筒状容器の外面に貼り付け、いずれも交換可能にしたことを特徴とする請求項１ないし３のいずれかに記載の照明装置。
【請求項５】
透明な筒状容器の空気排出口の下流に排出された空気が陶磁器製容器内に逆流することを防止する隔壁を備えたことを特徴とする請求項１ないし４記載の照明装置。
【考案の詳細な説明】
【技術分野】
【０００１】
本考案は陶磁器製容器のシェード内に発光源を設置し、貫通孔から放射される光模様を楽しむインテリア照明分野において、発光が容器外周に保持した蛍光体の発光機能によるものであると共に空気浄化機能を併せ持つ装置を光源とした照明装置に関するものである。
【背景技術】
【０００２】
従来、陶磁器製容器あるいは鋳鉄製容器などの外壁に多数の貫通孔を設け、内部に光源を設置し、貫通孔から放射される光の模様を楽しむものがインテリア照明として使用されていた。（特許文献１、特許文献２）
【０００３】
この照明において陶磁器製容器の内壁などに光触媒を塗布し、空気清浄器として利用する工夫もされていた。（特許文献３）
【０００４】
また、蛍光体を壁、ガラス、シート等に塗布または含有させて、紫外線を照射して発光させ、文字や色彩模様等を表現させるディスプレイ装置において、光触媒と蛍光体を共に塗布しあるいは共存させ、ディスプレイとして使用するとともに空気浄化を行なう技術が提供されており、特に空気浄化機能を持つ部分と、該容器の外側に該容器の外壁から洩れる紫外線で好みの灯りを発光する筒を備えた技術が開示されている。（特許文献４）
【特許文献１】実開昭４９−０４１９８９
【特許文献２】特開平成５−２０５５０９
【特許文献３】特開２０００−７９３２６
【特許文献４】特開２００６−１４９７２
【考案の開示】
【考案が解決しようとする課題】
【０００５】
しかし、特許文献１、特許文献２に開示されるインテリア照明に使用される光源は白熱電球などの単色光源であり、広い面積から色彩鮮やかな模様の発光を発し、これを楽しめるものでは無かった。
【０００６】
また、小型で効率の良い光触媒による空気清浄器であって、その清浄機の外壁に保持した蛍光体が紫外線により好みの模様を強く発光する装置を、陶磁器製容器であって外壁に多数の貫通孔を持ち、置物としても楽しめる容器内に設置し、該陶磁器製容器の貫通孔から外部に色彩鮮やかな投影が行われ、又貫通孔から鮮やかな模様の発光を覗いて楽しめることができるインテリア照明は無かった。
【０００７】
例えば、特許文献３では、陶磁器製容器の内面に光触媒を坦持させた不織布を被着し空気浄化作用を行わせる技術では、紫外線源が無く、また、光触媒層内を空気を通過させるための手段が取られてなく、高い空気清浄効率が得られるものではない。
【０００８】
又、特許文献４では空気浄化機能を持つ容器に強制的に空気を流通させ、該容器の外側に該容器の外壁から洩れる紫外線で好みの模様を発光する蛍光体を保持した筒を備えた技術が開示されているが、光触媒は紫外線の透過を妨げないため単層又は千鳥状に配置され、空気は紫外線の進行方向に平行に通過しており、空気と光触媒の接触時間が少なく、また蛍光体を保持した筒は光触媒層の外周部に空気流路を介して置かれるため装置の形状が大きくなり、陶磁器製容器の中に収納するためには不都合を生じる。また、この発明では陶磁器製容器の内部に空気清浄器を設置したインテリア照明として楽しむことは意図されていない。
【０００９】
本考案は、このような従来の技術の欠点を克服し、まず置物として楽しめながら、空気浄化機能を持ち、色彩鮮やかな模様発光のインテリア照明としての機能を持つ照明装置を提供することを目的としている。
【課題を解決するための手段】
【００１０】
上記課題を解決するために提案されたもので、本考案の第一の形態は、外壁に多数の貫通孔を備えた陶磁器製容器内に、透明な筒状容器を配備し、この透明な筒状容器は空気の吸入口と排出口を備え、また透明な筒状容器に空気を給排気するファンを配備し、透明な筒状容器の中央部に紫外線光源を設置し、その周囲に光触媒を坦持させた無機繊維を充填し、紫外線で発光する蛍光体を透明な筒状容器外周に保持せしめ、空気を陶磁器製容器の貫通孔を介して吸入口から透明な筒状容器内に導入し、光触媒を坦持させた無機繊維内を貫流させ、空気中の有機物を光分解し、清浄化した空気を排出口から陶磁器製容器外に排出させると共に、紫外線光源から発せられ光触媒を坦持させた無機繊維層内を通過した紫外線にて透明な筒状容器の外周に保持された蛍光体を発光させ、本体容器の貫通孔から紫外線による発光を外部に放射させることを特徴とした照明装置である。
【００１１】
また、本考案の第二の形態は、光触媒を坦持させる無機繊維はカサ密度１０ｋｇ／ｍ３以下のガラス短繊維であり、これに２０％以下のガラス長繊維を混合し、少なくとも一部のガラス長繊維の長さ方向を紫外線の進行方向に一致させることを特徴とした照明装置である。
【００１２】
本考案の第三の形態は、光触媒を坦持させる無機繊維は層内に多数のスリットを設け、スリットの長さ方向を紫外線の進行方向に一致させることを特徴とした照明装置である。
【００１３】
本考案の第四の形態は、本考案の空気清浄器の外壁に保持させる蛍光体は、フイルムに蛍光体を塗布又は含有させ、透明な筒状容器の内面に挿入され、又は筒状容器の外面に貼り付け、交換可能にしたことを特徴とした照明装置である。
【００１４】
本考案の第五の形態は、空気清浄器の透明な筒状容器の空気排出部は空気清浄器からの排出空気が陶磁器製容器内に逆流することを防止する隔壁装置を備えたことを特徴とした照明装置である。
【考案の効果】
【００１５】
本考案によりインテリア照明であって、点灯により室内空気の清浄化がなされると同時に、色彩豊かな陰影や模様、図柄を楽しむことができる。
【考案を実施するための最良の形態】
【００１６】
以下に、本考案の実施の態様について図・例等に従って詳細に説明する。
図１及び図２は本考案の照明装置の実施の態様例を示す。
陶磁器製容器１はインテリア照明として使用されるため陶磁器製が優れるが、鋳鉄製なども利用できる。陶磁器製容器１は空気清浄器７を容器内部に配設するため、収納容器２と上半部に別れ、蓋状或は半球状をしている。図1、図２では蓋３ａである。収納容器２は多数の貫通孔５ａを有し、透明な筒状容器８を収納し、蓋３ａは多数の貫通孔５ｂおよび空気吹出し口６を備えている。
【００１７】
貫通孔５ａは光を透過させると共に陶磁器製容器１外の室内空気を取り入れる通気孔である。貫通孔は、陶磁器製容器内の紫外線光源からの光の放射を効果的にするために、種々の形状の貫通孔とすることができ、また方向性をもたせ、内部に向けて縮小または拡大させることで、放射光線の方向や陰影を変化させることが出来る。
【００１８】
透明な筒状容器８の上部には空気を流入・排出させるためのファン１０が取り付けられ、空気吸入口１１から空気を流入させ、フイルタ１２、光触媒層１３、ネット１４を貫流せしめ空気排出口１５から排出させる。図２、図３ではファン１０の取り付け位置は透明な筒状容器８の上部としているが、特にこの位置に限られることは無く、透明な筒状容器８の吸入口側に取り付けることができる。空気排出口１５の上部には排出空気の拡散、陶磁器製容器内１への還流を防止するための隔壁１７を設ける。
【００１９】
透明な筒状容器８の中央部には、紫外線ランプ１８が設けられ、光触媒１３に紫外線を
照射せしめ、光触媒１３を透過した紫外線は蛍光体２１を発光させる。蛍光体２１からの発光は可視光線となって放射される。蛍光体２１を変えることにより、赤色、緑色、青色、あるいはその組み合わさった発光がなされ、陶磁器製容器1の貫通孔５ａないしは５ｂから四方に放射され室内の壁面に色彩のある模様を描き出す。また、貫通孔５ａから内部を覗くことで色彩鮮やかな模様を楽しむことができる。
【００２０】
本考案において、透明な筒状容器８に充填される光触媒１３は無機繊維に坦持されるが、例としてガラス繊維に光触媒を坦持させ場合、ガラス繊維は密度が１０ｋｇ／ｍ３以下の綿状のガラス短繊維を使用するのが好ましい。ガラス繊維の密度が高いと繊維層を通過する空気の抵抗が大きく流量が減少する。流量を保つためには吐出圧の大なファンを使用する必要があり、ファンの形状が大型となり、収納容器２も大きくならざるを得なくなる。また、紫外線の透過量が少なくなり、紫外線ランプから距離の大なる光触媒部位又は容器外周の蛍光体への到達紫外線量が減少し蛍光体の発光輝度が減少し照明としての光源は暗くなる。
【００２１】
また、本考案において、光触媒を坦持させる無機繊維として図４に示すように、ガラス短繊維２３を使用し、これに２０％以下のガラス長繊維２４を混合することを提案しているが、ガラス短繊維２３は繊維径が小で繊維長が短く形状保持が難しい。剛性のあるガラス長繊維２４を混合することにより形状安定性が増す。混合にはニードルパンチングや、単にチョップドストランドとのミキシングでも良い。なお少なくとも一部のガラス長繊維２４を、図示するように繊維の長さ方向が光触媒層内を通過する紫外線２２の進行方向に一致させるように配設させることで、ガラス長繊維２４内を紫外線が進行し、紫外線を光触媒層の中まで透過させる事ができる。
【００２２】
本考案における他の形態として図４に示すように、光触媒を坦持させる無機繊維の層内に、多数のスリット２５を設け、スリット２５の長さ方向を紫外線２２の進行方向に一致させる構造とすることを提案しているが、図示するように、紫外線ランプ１８からの紫外線がスリット２５の空隙内を減衰することなく直進し、紫外線ランプ１８から遠距離部でガラス繊維層に当りここで散乱されることで、紫外線ランプ１８から遠距離にある光触媒にまで到達させることができる効果がある。
【００２３】
本考案に使用される光触媒は二酸化チタン、アパタイト被覆二酸化チタンから選ばれた少なくとも一種を含むか、または両者を混合したものである。光触媒は無機繊維に坦持されるが、その方法は通常一般に行われる方法で良いが、特にテトラエチルシラン等のアルコキシドを加水分解して生成した活性なシリカゾルに二酸化チタンを混合した液状物を、無機繊維に噴霧乾燥し坦持させる方法、無機繊維を前記液状物に含浸し乾燥、坦持させる方法などがある。
【００２４】
本考案では空気清浄器７の透明な筒状容器８の外壁に保持させる蛍光体２１は、フイルムに蛍光体を塗布又は含有させたものを、透明な筒状容器８の内面に挿入するか、又は透明な筒状容器８の外面に貼り付け、またフイルムは交換可能にすることを提案している。勿論、透明な筒状容器８そのものに蛍光体を塗布し、又は含有させることは可能であるが、この場合蛍光体の発光図柄を変更したい場合、透明な筒状容器８そのものを交換しなければならない。
【００２５】
本考案の空気清浄器で清浄化された空気は陶磁器製容器から排出されるが、透明な筒状容器８の空気排出口１５の下流には空気清浄器からの排出空気が収納容器２内に逆流することを防止する隔壁１７を備えており、未清浄化空気と混合されること無く、蓋３ａの吹出し口６及び貫通孔５ｂから容器外に排出される。
【実施例１】
【００２６】
次に添付図面を参照して本考案の実施の一例を詳述する。
図１は本例に係る照明装置の概観図であり、図２は照明装置の部分断面図である。
図３は空気清浄器の断面図である。
【００２７】
これらの図において、陶磁器製容器は径３５センチ、高さ３８センチの壷で、上部に径１３センチの蓋が設置してある。この容器の壁面は織部調の彩色が施してあり約４００個の貫通孔５ａ、５ｂを備える。
【００２８】
図２、図３に示すように陶磁器製容器１内の中央に直径１２センチ、高さ３０センチの空気清浄器７が設置してある。空気清浄器７には収納容器２内に貫通孔５ａを介して吸い込まれた空気を下部の空気吸入口１１から透明な筒状容器８内に吸込み、フィルタ１２、光触媒層１３を貫流させてネット１４を通過したのち上部の排出口１５から排出させるためのファン１０が設置してある。
【００２９】
図３に示す如く、空気清浄器７は中心部に紫外線ランプ１８として１５Ｗのブラックライトを設置し、下部に活性炭素繊維フイルタ１２を充填し、その上部に光触媒１３が充填されている。
【００３０】
光触媒１３はカサ密度１０kg／ｍ３のガラス短繊維にチョップドストランド化したガラス長繊維を１５％混合したものを担体として、これにテトラエチルシランに酸と水を加え、加水分解して生成した活性なシリカゾルに二酸化チタンを混合した液状物を噴霧乾燥し坦持させたものを、内径５，５センチ、外形１１、５センチ、高さ２０センチの中空筒状に成形し、透明な筒状容器８内に充填する。
【００３１】
なお、中空筒状の光触媒が坦持されたガラス繊維成形物の中央部には、紫外線ランプが挿入され、紫外線が光触媒を照射し空気中の有害物が光分解される。紫外線ランプと中空筒状の成形体の間には空隙を生じるので、ここに仕切り２０を設置する。ランプの形状により仕切りは複数設置される。
【００３２】
ガラス短繊維とガラス長繊維の混合物は、成形前に長繊維を放射状に引きそろえて成形する。また、図４に示すようには成形時にスリット型を挿入しガラス繊維層に放射状のスリット２５を設ける。
【００３３】
本考案の照明装置は、１時間当たり４０立方メートルの清浄化空気を排出する。木造家屋の１２畳の和室に使用した場合、ＶＯＣ濃度を検出されない程度に改善できた。
【産業上の利用可能性】
【００３４】
このような構成の照明装置は、和洋を問わず室内のインテリア照明として使用される。
【図面の簡単な説明】
【００３５】
【図１】は本考案の照明装置の概要図である。
【図２】は本考案の照明装置の断面図である。
【図３】は空気清浄器の断面図である。
【図４】はガラス繊維層の形状の図である。
【図５】は蛍光体フイルムの図である。
【符号の説明】
【００３６】
１    陶磁器製容器
２    収納容器
３    上半部
３ａ  蓋
４    
５ａ  貫通孔（収納容器）
５ｂ  貫通孔（上半部）
６    吹出口
７    空気清浄器
８    透明な筒状容器
９    支持台
１０  ファン
１１  空気吸入口
１２  フィルタ
１３  光触媒
１４  ネット
１５  空気排出口
１６  反射板
１７  隔壁
１８  紫外線ランプ
１９  コネクタ
２０  仕切り
２１  蛍光体
２２  紫外線
２３  ガラス短繊維
２４  ガラス長繊維
２５  スリット
２６  フイルム
２７  フイルムカット線
【図１】
0003129769.tif 000003
【図２】
0003129769.tif 000004
【図３】
0003129769.tif 000005
【図４】
0003129769.tif 000006
【図５】
0003129769.tif 000007